(57)【特許請求の範囲】
【請求項１】
外周面が閉塞されると共に、開閉可能な開閉面が開放されたときに当該開閉面側から内部へのアクセスが可能な筐体と、
媒体を取引する取引処理における当該媒体の利用が可能であるか否かを判別する判別部と、
上記筐体内に設けられ、上記媒体を収納する収納庫と、
上記筐体内の最も上記開閉面側に設けられ、上記収納庫へ補充すべき媒体又は上記収納庫から回収されてきた媒体を収納する装填庫と、
上記筐体内の上記収納庫よりも上記開閉面側且つ上記装填庫よりも上記開閉面の反対側に設けられ、上記判別部において利用不可能と判別された媒体を収納するリジェクト庫と、
上記媒体を取引する取引者に当該媒体を投入させ、又は当該媒体を当該取引者に取り出させる入出部と、
上記筐体内の最も上記開閉面側に設けられ、上記取引処理において上記取引者が上記入出部から取り出し忘れた媒体を他の媒体と区別して収納する取込部と、
上記装填庫及び上記取込部と上記リジェクト庫との間に設けられ、上記取込部又は上記リジェクト庫へ収納すべき媒体を上下方向へ搬送する後搬送部と
を具えることを特徴とする媒体取引装置。
【請求項２】
上記装填庫は、
上記筐体に対し着脱可能であり、上記筐体から取り外されたときに上記後搬送部を露出させる一方、当該後搬送部により上記リジェクト庫に対するアクセスを阻止する
ことを特徴とする請求項１に記載の媒体取引装置。
【請求項３】
上記収納庫の上方に設けられ当該収納庫の配列方向に沿って上記媒体を搬送すると共に上記収納庫へ振り分ける振分搬送部と、
上記判別部内における上記媒体の搬送経路の一端と上記振分搬送部の一端とを結ぶ第１判別搬送部と
をさらに具え、
上記後搬送部は、上記振分搬送部の他端に接続され、
上記振分搬送部は、
上記判別部において利用可能と判別された媒体又は利用不可能と判別された媒体のいずれも上記第１判別搬送部を介して取得し、上記利用可能と判別された媒体を上記収納庫へ振り分けて搬送する一方、上記利用不可能と判別された媒体を搬送し上記後搬送部へ受け渡すことにより上記リジェクト庫へ収納させる
ことを特徴とする請求項１に記載の媒体取引装置。
【請求項４】
上記判別部内における上記媒体の搬送経路の他端と上記後搬送部とを接続する第２判別搬送部
をさらに具え、
上記リジェクト庫は、
上記収納庫から繰り出され上記振分搬送部及び上記第１判別搬送部を介して上記判別部へ搬送され、当該判別部において利用不可能と判別された媒体を、上記第２判別搬送部及び上記後搬送部により搬送させて収納する
ことを特徴とする請求項３に記載の媒体取引装置。
【請求項５】
上記収納庫は、
上記媒体を高さ方向に集積し、
上記リジェクト庫は、
上記収納庫と同等の高さを占める
ことを特徴とする請求項１に記載の紙幣取引装置。
【請求項６】
上記筐体内に収納され、又は上記筐体の上記開閉面側若しくはその反対側へ引き出される引出部
をさらに具え、
上記収納庫及び上記リジェクト庫は、
上記引出部に設けられている
ことを特徴とする請求項５に記載の紙幣取引装置。
【請求項７】
上記リジェクト庫は、
上記引出部に対し、上記筐体に対し引き出される方向と交差する方向へ引き出されることにより、上記引出部から取り外される
ことを特徴とする請求項６に記載の紙幣取引装置。
【請求項８】
上記リジェクト庫は、
上記媒体を高さ方向へ集積する集積部と、
上記集積部の上方に配置されると共に、上記媒体を外部から取り込み、先端を下方へ向けた状態で内部へ放出する取込放出部と、
上記媒体を上記取込放出部から離れるに連れて下がるよう傾斜された案内部と、
上記媒体の先端を衝突させて終端側を下方へ落下させた後、当該媒体全体を上記集積部へ落下させる衝突部と
を具えることを特徴とする請求項１に記載の媒体取引装置。
【発明の詳細な説明】
【技術分野】
【０００１】
本発明は媒体取引装置に関し、例えば紙幣等の媒体を投入して所望の取引を行う現金自動預払機（ＡＴＭ）等に適用して好適なものである。
【背景技術】
【０００２】
従来、金融機関等で使用される現金自動預払機等においては、顧客との取引内容に応じて、顧客に紙幣や硬貨等の現金を入金させ、また顧客へ現金を出金するようになされている（例えば、特許文献１参照）。
【０００３】
例えば図２４に示す従来の現金自動預払機３０１においては、外周を保護する強固な筐体２と、顧客との間で紙幣ＢＬの授受を行う入出金部１３と、投入された紙幣の金種、真偽及び正損を判別する判別部１５と、投入された紙幣ＢＬを一時的に保留する一時保留部１６と、金種ごとに紙幣ＢＬを収納する収納庫１８とを有している。
【０００４】
この現金自動預払機３０１は、入金取引において、顧客が入出金部１３に紙幣を投入すると、投入された紙幣を判別部１５で判別し、正常紙幣と判別された紙幣を一時保留部１６で保留する一方、取引すべきでないと判別された紙幣を入出金部１３へ戻して顧客に返却する。
【０００５】
続いて現金自動預払機３０１は、顧客の操作指示により入金金額が確定されると、一時保留部１６に保留した紙幣ＢＬの金種を判別部１５により再判別し、その金種に応じた収納庫１８へ収納する。
【０００６】
またこの現金自動預払機３０１は、筐体の後面に面するように、判別部において損傷の程度が大きいと判別され再利用すべきでない紙幣（リジェクト紙幣）を収納するリジェクト庫３２０と、顧客が取り忘れた紙幣を取り込んで他の紙幣と区別して収納する取込庫２４と、収納庫に対する紙幣の補填等に用いられる補填庫２５とを有している。
【先行技術文献】
【特許文献】
【０００７】
【特許文献１】特開２００８−３０４９９１公報（第１図）
【発明の概要】
【発明が解決しようとする課題】
【０００８】
ところで現金自動預払機３０１における一部の運用形態では、特定の金種の紙幣について、入金取引において顧客からの入金を受け付けるものの、これをリジェクト庫２０に収納し、出金取引においては他の金種の紙幣を出金することがある。
【０００９】
この運用形態では、リジェクト庫３２０に特定の金種の紙幣が大量に収納されることになり、その金額も大きくなることから、不正行為等に対する安全性の確保が重要となる。
【００１０】
一方、現金自動預払機３０１は、筐体２の後面に開閉可能な後扉が設けられており、当該後扉が閉塞され施錠された状態では、内部へのアクセス（すなわち紙幣の取出等）が抑制されている。
【００１１】
しかしながら現金自動預払機３０１は、後扉が開放されると、リジェクト庫３２０、取込庫２４及び装填庫２５のいずれに対してもアクセスすること、すなわちそれぞれに収納された紙幣を取り出すことが可能となる。
【００１２】
特に現金自動預払機３０１では、装填庫２５による紙幣の補充処理が比較的高い頻度で行われ、このときリジェクト庫３２０に対するアクセスも可能となるため、安全性が不十分となってしまう、という問題があった。
【００１３】
本発明は以上の点を考慮してなされたもので、簡素な構成により媒体の安全性を向上し得る媒体取引装置を提案しようとするものである。
【課題を解決するための手段】
【００１４】
かかる課題を解決するため本発明の媒体取引装置においては、外周面が閉塞されると共に、開閉可能な開閉面が開放されたときに当該開閉面側から内部へのアクセスが可能な筐体と、媒体を取引する取引処理における当該媒体の利用が可能であるか否かを判別する判別部と、筐体内に設けられ、媒体を収納する収納庫と、筐体内の最も開閉面側に設けられ、収納庫へ補充すべき媒体又は収納庫から回収されてきた媒体を収納する装填庫と、筐体内の収納庫よりも開閉面側且つ装填庫よりも開閉面の反対側に設けられ、判別部において利用不可能と判別された媒体を収納するリジェクト庫と、媒体を取引する取引者に当該媒体を投入させ、又は当該媒体を当該取引者に取り出させる入出部と、筐体内の最も開閉面側に設けられ、取引処理において取引者が入出部から取り出し忘れた媒体を他の媒体と区別して収納する取込部と、装填庫及び取込部とリジェクト庫との間に設けられ、取込部又はリジェクト庫へ収納すべき媒体を上下方向へ搬送する後搬送部とを設けるようにした。
【００１５】
この媒体取引装置では、筐体内で最も開閉面側に設けられた装填庫及び取込部とリジェクト庫との間に後搬送部を配置することにより、筐体の開閉面が開放されたときに、装填庫への媒体の入出作業及び取込部からの取出作業を容易化できる一方、後搬送部によりリジェクト庫の露出を防いで当該リジェクト庫内に収納された媒体の不正な取出を防止することができる。
【発明の効果】
【００１６】
本発明によれば、筐体内で最も開閉面側に設けられた装填庫及び取込部とリジェクト庫との間に後搬送部を配置することにより、筐体の開閉面が開放されたときに、装填庫への媒体の入出作業及び取込部からの取出作業を容易化できる一方、後搬送部によりリジェクト庫の露出を防いで当該リジェクト庫内に収納された媒体の不正な取出を防止することができる。かくして本発明は、簡素な構成により媒体の安全性を向上し得る媒体取引装置を実現できる。
【図面の簡単な説明】
【００１７】
【図１】現金自動預払機の構成を示す略線的斜視図である。
【図２】第１の実施の形態による紙幣入出金機の構成を示す略線図である。
【図３】装填庫の取り外しの説明に供する略線図である。
【図４】第１の実施の形態における下部ユニットの引き出しの説明に供する略線図である。
【図５】リジェクト庫の引き出しの説明に供する略線図である。
【図６】リジェクト庫の構成を示す略線図である。
【図７】集積ローラとプレッシャローラとの位置関係を示す略線図である。
【図８】監視点の位置を示す略線図である。
【図９】紙幣が放出される様子を示す略線図である。
【図１０】紙幣がビルストッパへ衝突する様子を示す略線図である。
【図１１】羽根車により紙幣の後端が叩かれる様子を示す略線図である。
【図１２】羽根車により紙幣が側面ガイドに引き寄せられる様子を示す略線図である。
【図１３】放出口付近の紙幣詰まりを検知するときの説明に伴う略線図である。
【図１４】紙幣の集積量が最大集積量に達しているか否かを検知するときの説明に伴う略線図である。
【図１５】従来のリジェクト庫とのサイズ比較を示す略線図である。
【図１６】収納庫の構成（１）を示す略線的背面図である。
【図１７】収納庫の構成（２）を示す略線的左側面図である。
【図１８】収納庫の構成（３）を示す略線的平面図である。
【図１９】リブの構成（１）示す略線的側面図である。
【図２０】リブの構成（２）示す略線的平面図である。
【図２１】第２の実施の形態による紙幣入出金機の構成を示す略線図である。
【図２２】第３の実施の形態による紙幣入出金機の構成を示す略線図である。
【図２３】第３の実施の形態における下部ユニットの引き出しの説明に供する略線図である。
【図２４】従来の紙幣入出金機の構成を示す略線図である。
【発明を実施するための形態】
【００１８】
以下、発明を実施するための形態（以下実施の形態とする）について、図面を用いて説明する。
【００１９】
［１．第１の実施の形態］
［１−１．現金自動預払機の全体構成］
図１に外観を示すように、現金自動預払機１は、箱状の筐体２を中心に構成されており、例えば金融機関等に設置され、顧客との間で入金取引や出金取引等の現金に関する取引を行うようになされている。
【００２０】
筐体２は、その前側に顧客が対峙した状態で紙幣ＢＬの投入やタッチパネルによる操作等をしやすい箇所、すなわち前面の上部から上面に渡る部分が斜めに切り落とされたような形状となっており、この部分に接客部３が設けられている。
【００２１】
接客部３は、顧客との間で現金や通帳等を直接やり取りすると共に、取引に関する情報の通知や操作指示の受付を行うようになされており、カード入出口４、入出金口５、操作表示部６、テンキー７、及びレシート発行口８が設けられている。
【００２２】
カード入出口４は、キャッシュカード等の各種カードが挿入または排出される部分である。カード入出口４の奥側には、各種カードに磁気記録された口座番号等の読み取りを行うカード処理部（図示せず）が設けられている。
【００２３】
入出金口５は、顧客が入金する紙幣ＢＬが投入されると共に、顧客へ出金する紙幣ＢＬが排出される部分である。また入出金口５は、シャッタを駆動することにより開放又は閉塞するようになされている。因みに紙幣ＢＬは、例えば長方形の紙で構成されている。
【００２４】
操作表示部６は、取引に際して操作画面を表示するＬＣＤ（Liquid Crystal Display）と、取引の種類の選択、暗証番号や取引金額等を入力するタッチパネルとが一体化されている。
【００２５】
テンキー７は、「０」〜「９」の数字等の入力を受け付ける物理キーであり、暗証番号や取引金額等の入力操作時に用いられるようになされている。
【００２６】
レシート発行口８は、取引処理の終了時に取引内容等を印字したレシートを発行する部分である。因みにレシート発行口８の奥側には、レシートに取引内容等を印字するレシート処理部（図示せず）が設けられている。
【００２７】
以下では、現金自動預払機１のうち顧客が対峙する側を前側とし、その反対を後側とし、当該前側に対峙した顧客から見て左及び右をそれぞれ左側及び右側とし、さらに上側及び下側を定義して説明する。
【００２８】
因みに筐体２は、前面を覆う前扉２Ａ及び後面を覆う後扉（図示せず）がそれぞれ開閉可能に構成されている。すなわち筐体２は、顧客との間で現金に関する取引を行う取引動作時には、前扉２Ａ等を閉塞することにより、内部に保有している紙幣ＢＬや硬貨等を保護する。一方筐体２は、金融機関の職員や作業者等が保守作業や紙幣ＢＬの装填（補充）・回収作業等を行う作業時には、必要に応じて前扉２Ａ等を開放することにより、内部の各部に対する作業を容易に行わせ得るようになされている。
【００２９】
なお現金自動預払機１は、例えば金融機関のＡＴＭコーナー等に複数台が横方向に並ぶよう設置され、前後に空間を有する一方、左右には他の現金自動預払機等が隣接することが多い。このため筐体２は、左右の側面を固定的に閉塞したままとし、前後の扉を開閉可能としている。
【００３０】
筐体２内には、現金自動預払機１全体を統括制御する主制御部９や、紙幣ＢＬに関する種々の処理を行う紙幣入出金機１０等が設けられている。
【００３１】
主制御部９は、図示しないＣＰＵ（Central Processing Unit）を中心に構成されており、図示しないＲＯＭやフラッシュメモリ等から所定のプログラムを読み出して実行することにより、入金取引や出金取引等の種々の処理を行うようになされている。
【００３２】
また主制御部９は、内部にＲＡＭ（Random Access Memory）、ハードディスクドライブやフラッシュメモリ等でなる記憶部９Ａを有しており、この記憶部９Ａに種々の情報を記憶させるようになされている。
【００３３】
［１−２．紙幣入出金機の構成］
紙幣入出金機１０は、図２に模式的な側面図を示すように、紙幣入出金機筐体１１の内部に紙幣ＢＬの入金処理や出金処理に関する種々の機構が設けられている。紙幣入出金機１０の各部分は、紙幣制御部１２により制御されるようになされている。
【００３４】
紙幣制御部１２は、主制御部９と同様、図示しないＣＰＵを中心に構成されており、図示しないＲＯＭやフラッシュメモリ等から所定のプログラムを読み出して実行し、また主制御部９などの他の制御部と連携することにより、紙幣ＢＬの入金処理や出金処理等、紙幣ＢＬに関する種々の処理を制御するようになされている。
【００３５】
また紙幣制御部１２は、内部にＲＡＭ及びフラッシュメモリ等でなる記憶部１２Ａ（図示せず）を有しており、この記憶部に種々の情報を記憶させるようになされている。
【００３６】
例えば顧客が現金自動預払機１との間で入金取引を行う場合、紙幣制御部１２は、主制御部９等と連携しながら、操作表示部６を介して所定の操作入力を受け付けた後、入出金口５（図１）のシャッタを開いて入出金部１３内へ紙幣ＢＬを投入させる。
【００３７】
入出金部１３は、紙幣ＢＬが投入されると、入出金口５のシャッタを閉じてから紙幣ＢＬを１枚ずつ取り出し、搬送部１４へ受け渡す。搬送部１４は、紙幣入出金機１０内で紙幣ＢＬを各部へ搬送し得るようになされており、受け渡された紙幣ＢＬを短辺方向に沿って進行させ、判別部１５へ搬送する。
【００３８】
判別部１５は、所定の光学センサや磁気センサ等を有しており、前入出口１５Ａと後入出口１５Ｂとの間で紙幣ＢＬを前後方向へ搬送しながら当該紙幣ＢＬの金種及び真偽、表裏、並びに損傷の程度等を判別し、その判別結果を紙幣制御部１２へ通知する。これに応じて紙幣制御部１２は、取得した判別結果に基づいて当該紙幣ＢＬの搬送先を決定する。
【００３９】
このとき搬送部１４は、判別部１５において正常と判別された紙幣ＢＬ（いわゆる正券）を一時保留部１６へ搬送する等して一時的に保留させる一方、取引すべきでないと判別された紙幣ＢＬ（いわゆる損券や偽券等）を入出金部１３へ搬送して顧客に返却する。
【００４０】
その後紙幣制御部１２は、操作表示部６（図１）を介して顧客に入金金額を確定させ、一時保留部１６に保留している紙幣ＢＬを判別部１５へ搬送させてその金種及び損傷の程度等を判別させ、その判別結果を取得する。
【００４１】
ここで紙幣制御部１２は、紙幣ＢＬの損傷の程度が小さければ、これを再利用すべき紙幣ＢＬ（以下これを正常紙幣ＢＬＣとも呼ぶ）とし、また紙幣ＢＬの損傷の程度が大きければ、これを再利用すべきでない紙幣ＢＬ（以下これをリジェクト紙幣ＢＬＲとも呼ぶ）とする。そして紙幣制御部１２は、紙幣ＢＬにおける損傷の程度にかかわらず、当該紙幣ＢＬを搬送部１４により判別部１５の前入出口１５Ａから振分搬送部１７へ搬送させる。以下、このときの搬送経路を第１判別経路Ｒ１と呼ぶ。
【００４２】
振分搬送部１７は、４個の収納庫１８Ａ〜１８Ｄ（以下まとめて収納庫１８と呼ぶ）の真上に位置しており、紙幣ＢＬを前後方向へ搬送する搬送路と、各収納庫１８にそれぞれ対応する箇所に配置され紙幣ＢＬの搬送方向を前後方向又は上下方向に切り換える複数の切替器とを有している。
【００４３】
実際上振分搬送部１７は、紙幣制御部１２の制御に基づき、正常紙幣ＢＬＣを後方向へ搬送し、その金種に対応する切替器を介して下方向へ進行させ、当該正常紙幣ＢＬＣを収納庫１８に収納させる。これにより各収納庫１８には、金種ごとに振り分けられた状態で正常紙幣ＢＬＣが収納される。因みに収納庫１８は、その内部に紙幣ＢＬを上下方向に重ねて集積する。
【００４４】
また振分搬送部１７は、紙幣制御部１２の制御に基づき、リジェクト紙幣ＢＬＲをリジェクト庫２０Ａ又は２０Ｂ（以下まとめてリジェクト庫２０と呼ぶ）に収納させるべく、最後部まで搬送して後方の後搬送部１９へ受け渡す。
【００４５】
後搬送部１９は、紙幣ＢＬを上下方向へ搬送する搬送路と、各リジェクト庫２０にそれぞれ対応する箇所に配置され紙幣ＢＬの搬送方向を上下方向又は前後方向に切り換える複数の切替器とを有している。
【００４６】
リジェクト庫２０Ａ及び２０Ｂは、収納庫１８の後方且つ後搬送部１９の前方に、上下に積み重なるように配置されている。このリジェクト庫２０Ａ及び２０Ｂは、互いにほぼ同等に構成されており、その高さが収納庫１８の約半分となっている。
【００４７】
実際上後搬送部１９は、振分搬送部１７から受け渡されたリジェクト紙幣ＢＬＲを下方向へ搬送し、切替器を介して前方向へ進行させることにより、当該リジェクト紙幣ＢＬＲをリジェクト庫２０に収納させる。
【００４８】
また、例えば顧客が現金自動預払機１との間で出金取引を行う場合、紙幣制御部１２は、主制御部９等と連携しながら、操作表示部６（図１）を介して所定の操作入力を受け付けた後、出金すべき金額に応じた紙幣ＢＬを収納庫１８から繰り出させる。
【００４９】
続いて紙幣制御部１２は、この紙幣ＢＬを振分搬送部１７により前方向へ進行させた後、搬送部１４により判別部１５へ搬送して判別させる。
【００５０】
このとき紙幣制御部１２は、この紙幣ＢＬが正常紙幣ＢＬＣであれば、当該紙幣ＢＬを判別部１５の後入出口１５Ｂから排出させ、搬送部１４により反転機構部２３へ搬送して適宜反転させることにより表裏を揃えてから入出金部１３へ搬送する。そして紙幣制御部１２は、入出金口５（図１）のシャッタを開いてこの紙幣ＢＬを顧客に取り出させる。
【００５１】
一方紙幣制御部１２は、判別部１５においてリジェクト紙幣ＢＬＲと判別された場合、当該紙幣ＢＬを判別部１５の後入出口１５Ｂから排出させ、搬送部１４により搬送して後搬送部１９に受け渡し、リジェクト庫２０へ搬送させて収納させる。以下、このときの判別部１５の後入出口１５Ｂから後搬送部１９までの搬送経路を第２判別経路Ｒ２と呼ぶ。
【００５２】
また紙幣制御部１２は、入出金口５のシャッタを開いてから所定時間の経過後にシャッタを閉じ、このとき入出金部１３に紙幣ＢＬが残っていた場合、顧客が当該紙幣ＢＬを取り忘れたものと見なす。
【００５３】
このとき紙幣制御部１２は、この紙幣ＢＬを入出金部１３から順次取り込み、搬送部１４により搬送して後搬送部１９へ受け渡し、取込部２４へ搬送させて、他の紙幣ＢＬと区別できるように保管する。
【００５４】
装填庫２５は、紙幣入出金機筐体１１の後側に設けられており、内部に多数の紙幣ＢＬを収納できるよう構成されると共に、その真上に設置された分離部２６と連結されている。
【００５５】
紙幣制御部１２は、装填庫２５内に紙幣ＢＬが収納された状態で所定の装填指示を受け付けると、装填庫２５から収納庫１８への紙幣ＢＬの装填処理を行う。
【００５６】
このとき紙幣制御部１２は、分離部２６により装填庫２５から紙幣ＢＬを１枚ずつ分離して搬送部１４に受け渡し、第２判別経路Ｒ２の一部を経て判別部１５へ搬送して当該紙幣ＢＬを判別させる。
【００５７】
そして紙幣制御部１２は、入金取引の場合と同様、正常紙幣ＢＬを第１判別経路Ｒ１経由で振分搬送部１７へ受け渡し、当該紙幣ＢＬを指示された収納庫１８へ振り分けて順次収納させる一方、リジェクト紙幣ＢＬＲを振分搬送部１７から後搬送部１９へ搬送してリジェクト庫２０に収納させる。
【００５８】
また紙幣制御部１２は、収納庫１８に紙幣ＢＬが収納された状態で所定の回収指示を受け付けると、収納庫１８から装填庫２５内への紙幣ＢＬの回収処理を行う。
【００５９】
このとき紙幣制御部１２は、当該収納庫１８から紙幣ＢＬを順次繰り出させ、振分搬送部１７から搬送部１４に受け渡し、第１判別経路Ｒ１を介して判別部１５へ搬送して当該紙幣ＢＬを判別させる。
【００６０】
そして紙幣制御部１２は、正常紙幣ＢＬＣを搬送部１４により分離部２６へ搬送させて当該分離部２６により装填庫２５内に順次集積させる一方、リジェクト紙幣ＢＬＲを第２判別経路Ｒ２経由で後搬送部１９へ搬送してリジェクト庫２０に収納させる。
【００６１】
さらに紙幣制御部１２は、装填庫２５に収納されている紙幣ＢＬの金種や枚数を確定する確定処理を行う場合、当該紙幣ＢＬを１枚ずつ判別部１５へ搬送して判別させる。
【００６２】
このとき紙幣制御部１２は、装填処理の場合と同様、分離部２６により装填庫２５から紙幣ＢＬを１枚ずつ分離して搬送部１４に受け渡し、第２判別経路Ｒ２の一部を経て判別部１５へ搬送して当該紙幣ＢＬを判別させる。
【００６３】
そして紙幣制御部１２は、正常紙幣ＢＬＣ及びリジェクト紙幣ＢＬＲのいずれであっても第１判別経路Ｒ１及び振分搬送部１７経由で後搬送部１９へ受け渡す。続いて紙幣制御部１２は、正常紙幣ＢＬＣを装填庫２５の下部に設けられた確定集積部２５Ａ内に収納させる一方、リジェクト紙幣ＢＬＲをリジェクト庫２０へ収納させて、このとき得られた集計結果を記憶部１２Ａに記憶させる。
【００６４】
因みに紙幣入出金機１０では、収納庫１８等に収納している紙幣ＢＬを１枚ずつ判別部１５へ搬送して判別することにより、内部に保有する全紙幣ＢＬの金種及び枚数を精査する確定処理を適宜行うようになされている。
【００６５】
そして紙幣入出金機１０は、リジェクト紙幣ＢＬＲのうち、既に確定処理がなされたリジェクト紙幣ＢＬＲをリジェクト庫２０Ａに収納させ、入金取引等において外部から取り込まれたため未だ確定処理がなされていないリジェクト紙幣ＢＬＲをリジェクト庫２０Ｂに収納させることにより、両者を明確に区別して保管するようになされている。
【００６６】
また装填庫２５は、紙幣入出金機筐体１１に対し着脱可能に構成されている。これにより紙幣入出金機１０では、例えば大量の紙幣ＢＬを装填庫２５に補充する場合に、当該装填庫２５を紙幣入出金機筐体１１から取り外させ、紙幣ＢＬを保管している箇所へ持ち運ばせた上で補充させ、その後再び装着させることにより、紙幣ＢＬの運搬に要する手間を軽減して作業効率を高めるようになされている。
【００６７】
因みに実際上現金自動預払機１（図１）では、筐体２（図１）の背面に設けられた後扉（図示せず）が開放され、図３に示すように紙幣入出金機筐体１１から装填庫２５が取り外された状態においても、運用を中断することなく、上述した入金取引や出金取引等の各種取引処理を正常に実行できるようになされている。
【００６８】
ところで紙幣入出金機１０では、振分搬送部１７、収納庫１８、後搬送部１９及びリジェクト庫２０が引出部としての下部ユニット２８に取り付けられている。この下部ユニット２８は、紙幣入出金機筐体１１に対し前後方向へスライド可能に取り付けられている。
【００６９】
すなわち下部ユニット２８は、図４（Ａ）に示すように、現金自動預払機１の運用動作時には紙幣入出金機筐体１１の内部に収納される一方、現金自動預払機１の保守作業等が行われる際には、筐体２（図１）の前扉２Ａが開放された上で、図４（Ｂ）に示すように、前方へ引き出される。
【００７０】
さらにリジェクト庫２０は、図５に示すように、下部ユニット２８に対し、左方向へ引き抜かれることにより取り外され、また右方向へ挿入されることにより装着されるようになされている。
【００７１】
すなわちリジェクト庫２０は、下部ユニット２８に装着された状態では収納している紙幣ＢＬの取出を阻止し、下部ユニット２８から取り外されたときに、収納している紙幣ＢＬの外部への取出を可能とする。
【００７２】
このように紙幣入出金機１０は、入金取引や出金取引を行う際、或いは収納庫１８に紙幣ＢＬを補充する際等に、紙幣ＢＬを判別部１５により判別させ、リジェクト紙幣ＢＬＲであれば、収納庫１８と後搬送部１９との間に配置されたリジェクト庫２０へ搬送して収納させるようになされている。
【００７３】
［１−３．リジェクト庫の構成］
次に、リジェクト庫２０の構成について説明する。リジェクト庫２０は、図６に示すように、集積ローラ３０と、プレッシャローラ３１と、上部ガイド３２と、ビルストッパ３３と、羽根車３４と、側面ガイド３５と、収納フレーム３６と、ステージ３７と、紙幣ＢＬ監視センサ３８（３８Ａ、３８Ｂ）とで構成されている。
【００７４】
集積ローラ３０は、リジェクト庫２０の前面上部に位置する取込口２９近傍に設けられ、プレッシャローラ３１は、その軸心が、集積ローラ３０の軸心の真上から後方に所定角度ずれた箇所に位置するように対向して設けられている。
【００７５】
具体的にプレッシャローラ３１は、図７に示すように、その軸心が、集積ローラ３０の軸心の真上から後方に約３０度ずれた箇所に位置するように対向して設けられている。
【００７６】
このような位置関係とすることで、集積ローラ３０とプレッシャローラ３１の間の放出口から放出される紙幣ＢＬの放出方向は、水平ではなく、斜め下方向（例えば斜め下３０度の方向）となる。
【００７７】
またこのような紙幣ＢＬの放出方向と平行になるようリジェクト庫２０の上面も傾斜しており、案内部としての上部ガイド３２は、この傾斜している上面の内側に沿って設けられている。ゆえに、この上部ガイド３２も、紙幣ＢＬの放出方向と平行になるよう傾斜している。
【００７８】
衝突部としてのビルストッパ３３は、略板状であり、リジェクト庫２０後面上部の内側、上部ガイド３２の後端部近傍に設けられている。このビルストッパ３３は、放出口から斜め下方向に放出される紙幣ＢＬの先端部が確実に衝突するよう、放出口から見て斜め下に配置されるようになっている。
【００７９】
羽根車３４は、集積ローラ３０と同軸に枢支されている。側面ガイド３５は、リジェクト庫２０内の前面側、羽根車３４の軸の下方に垂直に設けられ、収納フレーム３６は、リジェクト庫２０全体を囲うように設けられている。そしてこれら側面ガイド３５及び収納フレーム３６により紙幣ＢＬを収納する収納空間が形成され、ステージ３７は、この収納空間を上下方向に移動可能に設けられている。
【００８０】
紙幣ＢＬ監視センサ３８は、リジェクト庫２０内の紙幣ＢＬ状況を監視する例えば透過型の光電センサであり、発光素子３８Ａと受光素子３８Ｂとで構成されている。
【００８１】
発光素子３８Ａ及び受光素子３８Ｂは、図８に示すように、集積ローラ３０及びプレッシャローラ３１の間の放出口近傍の監視点Ｐ１と、側面ガイド３５上で且つ羽根車３４の回転範囲内の監視点Ｐ２とを通る直線上であって、さらに監視点Ｐ１及びＰ２より外側の位置にそれぞれ設けられている。
【００８２】
尚、放出口近傍の監視点Ｐ１は、集積ローラ３０とプレッシャローラ３１の間の放出口付近での紙幣ＢＬの放出状況を監視するために設定されている箇所である。また側面ガイド３５上の監視点Ｐ２は、集積部としてのステージ３７上に集積されている紙幣ＢＬの集積状況を監視するために設定されている箇所である。
【００８３】
すなわち紙幣ＢＬ監視センサ３８は、放出口近傍の監視点Ｐ１と、側面ガイド３５上の監視点Ｐ２を通る直線上に紙幣ＢＬが滞留しているか否かを監視している。これにより紙幣ＢＬ監視センサ３８は、放出口付近での放出状況として紙幣ＢＬ詰まりが発生しているか否か、或いはステージ３７上に集積されている紙幣ＢＬの集積状況として紙幣ＢＬの集積量が集積可能な最大集積量に達しているか否かを検知することができる。
【００８４】
リジェクト庫２０は、このような構成でなり、そのうえで集積ローラ３０の軸心とプレッシャローラ３１の軸心を結ぶ線分からビルストッパ３３までの距離Ｌｘ（図６）が紙幣ＢＬの短辺より長くなるよう、各部のサイズが選定されている。
【００８５】
かかる構成により、リジェクト庫２０では、図９に示すように、集積ローラ３０とプレッシャローラ３１とにより、取込口２９から取り込まれた紙幣ＢＬにフィード力が与えられ、この紙幣ＢＬがリジェクト庫２０の収納空間に斜め下方向に放出される。
【００８６】
斜め下方向に放出された紙幣ＢＬは、図１０に示すように、上部ガイド３２にガイドされ、その前端部がビルストッパ３３に衝突することで停止する。その後、紙幣ＢＬは、図１１に示すように、その後端部が羽根車３４によって下方向に叩きつけられることによりステージ３７上に落とされる。このときステージ３７は、紙幣ＢＬの重量に応じて下がる。
【００８７】
さらにステージ３７上に落とされた紙幣ＢＬは、図１２に示すように、その後端部が羽根車３４によって側面ガイド３５に当接するまで引き寄せられる。
【００８８】
リジェクト庫２０では、このような動作を繰り返し行うことで、ステージ３７上に、後端部を揃えた状態で紙幣ＢＬを上下方向に集積していく。
【００８９】
またリジェクト庫２０では、図１３に示すように、例えば、集積ローラ３０とプレッシャローラ３１の間の放出口付近で紙幣ＢＬ詰まりが発生することにより、発光素子３８Ａから受光素子３８Ｂへの光が例えば所定時間遮られると、紙幣制御部１２においてリジェクト庫２０内の紙幣ＢＬ状況が異常であると判断され、リジェクト庫２０への紙幣ＢＬの取り込みが停止される。
【００９０】
さらにリジェクト庫２０では、図１４に示すように、例えば、ステージ３７上に集積されている紙幣ＢＬの集積量が、集積可能な最大集積量に達していることにより、発光素子３８Ａから受光素子３８Ｂへの光が例えば所定時間遮られると、紙幣制御部１２においてリジェクト庫２０内の紙幣ＢＬ状況が異常であると判断され、リジェクト庫２０への紙幣ＢＬの取り込みが停止される。
【００９１】
このようにしてリジェクト庫２０は、紙幣ＢＬを集積すると共に、紙幣ＢＬ状況を監視するようになっている。
【００９２】
ここまで説明したように、リジェクト庫２０は、紙幣ＢＬの放出方向が斜め下方向となるようにプレッシャローラ３１が集積ローラ３０の後方（すなわち収納空間側）に位置しており、これに合わせて、上部ガイド３２が傾斜していて、この上部ガイド３２の先にビルストッパ３３が配置されている。
【００９３】
これによりリジェクト庫２０（図１５（Ｂ））は、例えば、集積ローラ３０の軸心とプレッシャローラ３１の軸心を結ぶ線分からビルストッパ３３までの距離Ｌｘを従来の水平放出型のリジェクト庫３２０（図１５（Ａ））の距離Ｌと同じ長さとしながらも、放出方向を斜め下方向にした分、奥行き方向の長さを短くすることができ、薄型化を実現している。
【００９４】
因みにリジェクト庫２０は、奥行き方向の長さを短くした分、側面ガイド３５の位置を、羽根車３４の軸の下方となるよう、従来よりもリジェクト庫２０の後面に近づけたことで、収納空間の奥行き方向のサイズを十分に確保するようになっている。
【００９５】
［１−４．収納庫の構成］
次に、収納庫１８の構成について、図１６、図１７及び図１８を用いて説明する。因みに図１６、図１７及び図１８は、それぞれ収納庫１８の背面図、左側面図及び平面図であるが、それぞれ一部の部品を透過的に表している。
【００９６】
収納庫１８は、略直方体状の収納庫筐体５０にフィードローラ５１、リバースローラ５２、ピッカローラ５３、ステージ５４、羽根車５５、放出された紙幣ＢＬを受け止めるビルストッパ５６、リバースガイド５７、フロントガイド５８、ピッカアーム５９、駆動ベルト６０、ピッカシャフト６１、走行センサ６２、上面センサ６３及び搬送路６５等の部品を配置して構成されている。
【００９７】
フィードローラ５１及びリバースローラ５２は、それぞれ周面同士を僅かにオーバラップさせて配置してあり、紙幣ＢＬを分離するときには紙幣取込口として機能し、紙幣ＢＬを集積する時には紙幣放出口として機能する。
【００９８】
因みに以下では、フィードローラ５１及びリバースローラ５２によって構成される紙幣ＢＬの取込放出口を「ゲート」と呼ぶ。
【００９９】
フィードローラ５１は、図示しない動力伝達系によって時計回り及び反時計回りの両方向に回転可能となっている。リバースローラ５２は、紙幣ＢＬを分離するときに２枚以上の紙幣ＢＬを同時に繰り出さないように、図示しない動力伝達系によって反時計回りにのみ回転可能となっている。
【０１００】
ピッカローラ５３は、ゲートから見て紙幣集積空間側にステージ５４と対向するように配置してあり、フィードローラ５１を中心に上下動するようにピッカアーム５９及びピッカシャフト６１により保持され、周面の一部には高摩擦部材が取り付けられている。またピッカローラ５３は、フィードローラ５１から駆動ベルト６０により駆動を伝達されており、フィードローラ５１と同期して回転する構造となっている。
【０１０１】
ステージ５４は、全体として矩形の板状に形成されており、その上面に紙幣ＢＬを積層して集積するようになされている。またステージ５４は、図示しない動力伝達系によって上下方向に移動可能となっており、分離時にはピッカローラ５３との間に紙幣ＢＬを挟みこんで適切なフィード力を発生させ、集積時には上面センサ６３により常に監視され、位置を変化させて一定の紙幣集積空間を確保する。
【０１０２】
羽根車５５は、弾力性のある高摩擦部材でなると共に放射状に突起部を有しており、リバースローラ５２の脇に複数列配置されている。この羽根車５５は、集積時には図示しない動力伝達系によってリバースローラ５２の回転軸とほぼ同軸の位置で反時計回りに回転し、分離時には図示しない退避機構によってゲート部及び集積エリアにおける突起部がオーバラップしない位置まで退避する。
【０１０３】
ビルストッパ５６は、フロントガイド５８上でゲートと対向する位置に複数列設けられており、集積時に放出された紙幣ＢＬの先端を衝突させるように配置されている。またビルストッパ５６には、図示しないスプリングが接続されており、集積時に放出された紙幣ＢＬの先端がビルストッパ５６に衝突した時、当該紙幣ＢＬが持つ運動エネルギーを吸収するようになされている。
【０１０４】
さらにビルストッパ５６は、図１９に示すように紙幣ＢＬが衝突する面にＶ字状の溝が形成されており、衝突した紙幣ＢＬの端面が上下方向にすべることを防止している。
【０１０５】
リバースガイド５７は、リバースローラ５２を上方から覆うように配置されており、図示しない穴から当該リバースローラ５２の一部を上方へ露出させている。
【０１０６】
フロントガイド５８は、分離集積部の外形を形作る収納庫筐体５０における後内側面の左右にそれぞれ取り付けられている。またフロントガイド５８は、その前面と、収納庫筐体５０における左右の内側面と、リバースガイド５７の内側面とにより、左右方向が紙幣ＢＬの長手方向の長さよりも若干大きい紙幣集積空間を形成している。
【０１０７】
搬送路６５から運ばれてきた紙幣ＢＬは、走行センサ６２を横切り、ゲートから紙幣集積空間に放出される。走行センサ６２は、紙幣ＢＬが横切ることにより、当該紙幣ＢＬが搬送されたことを認識する。
【０１０８】
さらに収納庫筐体５０の後内側面には、フロントガイド５８の左右の外方に、それぞれ複数本（例えば、４本）ずつ、集積する紙幣ＢＬの長手方向に沿って所定の間隔を保持するよう、リブ６８が並べて取り付けられている。
【０１０９】
因みにリブ６８は、収納庫筐体５０に一体成型されても良く、或いは別体の部品として収納庫筐体５０に取り付けられたものであっても良い。
【０１１０】
このリブ６８は、上下方向に沿って長尺状に形成されており、ゲートから放出される紙幣ＢＬに直交するように取り付けられている。
【０１１１】
またリブ６８の内側面とフロントガイド５８の内側面との間には、所定の距離Ｍが隔てられている。すなわちリブ６８は、図２０の矢印Ｂが示す紙幣ＢＬの放出方向における最大奥行きが、紙幣ＢＬの放出方向におけるフロントガイド５８の奥行きよりも距離Ｍだけ狭くなるように形成されている。
【０１１２】
このため収納庫１８は、ゲートからスキューせずに放出された紙幣ＢＬについては、フロントガイド５８に当接させてリブ６８には当接させないものの、ゲートからスキューして放出された紙幣ＢＬについては、その先端部をリブ６８に当接させる。
【０１１３】
各リブ６８には、左右方向から見て断面がＶ字状でなる溝６８Ａが形成されている。また溝６８Ａは、リブ６８の長手方向に沿って、所定間隔ごとに複数形成されている。
【０１１４】
このためリブ６８は、スキューしている紙幣ＢＬの先端部を溝６８Ａに誘い込み、さらに溝６８Ａに先端部が入り込んだ状態で上側又は下側へ滑らせないようになされている。
【０１１５】
これにより溝６８Ａは、集積された紙幣ＢＬの先端部が上方向又は下方向へ向くこと、すなわち紙幣ＢＬが紙幣収納空間の内側面と集積された他の紙幣ＢＬとの隙間等に入り込むことを防止するようになされている。
【０１１６】
ところで各リブ６８の溝６８Ａは、図２０に示すように、フロントガイド５８側（集積される紙幣ＢＬにおける長手方向の中央部側）に小さいＲ形状の内側湾曲部６８Ｂ、その反対側（集積される紙幣ＢＬの長手方向の端部側）に大きいＲ形状の外側湾曲部６８Ｃが形成されている。すなわち、外側湾曲部６８Ｃの曲率は、内側湾曲部６８Ｂの曲率よりも小さく形成されている。これによりリブ６８は、スキューした紙幣ＢＬが当接した場合の力を分散させることができる。
【０１１７】
また内側湾曲部６８Ｂと外側湾曲部６８Ｃとの間のフィードローラ側の面には、平坦部６８Ｄが形成されている。これにより溝６８Ａは、スキューしていない紙幣ＢＬがリブ６８に当接した場合の力を分散させることができる。
【０１１８】
さらにリブ６８は、集積される紙幣ＢＬの最大スキュー角θを考慮し、リブ６８の溝６８Ａの高さＨと、隣り合うリブ６８の間隔Ｌとの間に、間隔Ｌ≦（ｔａｎθ×高さＨ）＋（高さＨ／ｔａｎθ）の関係を満たすように配置されている。
【０１１９】
これによりリブ６８は、最大スキュー角θをなす紙幣ＢＬについて、リブ６８に当接する前に収納庫筐体５０に当接することを防止している。
【０１２０】
ここでリブ６８における溝６８Ａの高さＨは、溝６８Ａの収納庫筐体５０からの高さ（奥行き）であり、収納庫筐体５０からフィードローラ方向の溝６８Ａの端部までの距離である。またリブ６８の間隔Ｌは、平坦部６８Ｄと外側湾曲部６８Ｃとの境界と、隣り合うリブ６８の内側湾曲部６８Ｂ側の壁面との距離である。
【０１２１】
さらに紙幣ＢＬのスキュー角は、図２０の矢印Ｂが示す紙幣ＢＬの搬送方向に直交する線７１と、紙幣ＢＬにおける長手方向の左右の両先端を結ぶ線７２とが成す角度である。なお、収納庫筐体５０は紙幣ＢＬの搬送方向に直交する線と平行して形成されている。
【０１２２】
かかる構成によりリブ６８は、当接した紙幣ＢＬの先端部を、Ｖ字状の溝６８Ａにより上下動を規制すると共に、外側湾曲部６８Ｃに当接させながらフロントガイド５８から離れる方向へ移動させ、外側湾曲部６８Ｃおよび隣り合うリブ６８の内側湾曲部６８Ｂに当接させる。このとき紙幣ＢＬの先端部の角は、収納庫筐体５０に当接することはない。
【０１２３】
従って収納庫１８は、スキューしてゲートから放出された紙幣ＢＬの端部の捲れを防止することができる。
【０１２４】
なおリブ６８は、隣り合う溝６８Ａ間の突出部にも、上述した内側湾曲部６８Ｂ、外側湾曲部６８Ｃおよび平坦部６８Ｄと同様に内側湾曲部、外側湾曲部および平坦部が形成されている。
【０１２５】
これによりリブ６８は、突出部に当接した紙幣ＢＬの先端部を突出部の外側湾曲部に当接させながらフロントガイド５８から離れる方向へ移動させ、その紙幣ＢＬの先端部を外側湾曲部および隣り合うリブ６８の内側湾曲部に当接させることができる。
【０１２６】
さらにリブ６８は、図１６に示したように、その下端が集積時のステージ５４の上面、またはステージ５４に集積された紙幣ＢＬの上面よりも下側にオーバラップし、且つその上端が紙幣集積空間の上限を規定する上面ガイド（図示せず）とオーバラップするように配置されている。すなわちリブ６８は、スキューして送り込まれた紙幣ＢＬの先端が、収納庫筐体５０に当接する前に接触するよう、その取付高さが定められている。
【０１２７】
また溝６８Ａが形成されたリブ６８は、図１９に示すように、ステージ５４上に集積した紙幣ＢＬ側のフロントガイド５８の端部とリブ６８の頂部との間に所定の距離Ｍを保持するよう、上下方向の長さが規定されている。
【０１２８】
かかる構成により、ゲートから放出された紙幣ＢＬは、スキューしている場合、リブ６８に当接することにより収納庫筐体５０には当接せず、その後ステージ５４上に集積される。
【０１２９】
さらに紙幣ＢＬは、羽根車５５が回転することにより、ステージ５４又は集積された他の紙幣ＢＬの上で長手方向における左右両側が均等にゲート側に引き寄せられ、リバースガイド５７に当接することにより、そのスキューが補正される。
【０１３０】
すなわち収納庫１８は、溝６８Ａを有するリブ６８を設けたことにより、紙幣ＢＬがスキューしている場合にはこの溝６８Ａにその先端を入り込ませ、上下方向への滑りを抑制することにより紙幣ＢＬの捲れを防止できるので、最終的にステージ５４上に適切に集積させることができる。
【０１３１】
因みにリブ６８は、溝６８Ａに代えて、当接した紙幣ＢＬの端部を係止する突起形状の係止部材を複数配設して構成することも可能である。すなわちリブ６８は、集積される紙幣ＢＬにおける先端部の上下方向へのずれや滑りを防止する構成であれば良い。
【０１３２】
ところで従来の収納庫３１８（図２４）では、ビルストッパ５６における紙幣ＢＬとの当接面から収納庫筐体５０の後内側面までの距離を比較的長くすることにより、スキューしている紙幣ＢＬの捲れを防止していたが、これにより収納庫筐体５０の前後長が比較的長くなっていた。
【０１３３】
これに対し収納庫１８では、溝６８Ａを有するリブ６８を設けたことにより、スキューしている紙幣ＢＬの捲れを防止できるため、ビルストッパ５６における紙幣ＢＬとの当接面から収納庫筐体５０の後内側面までの距離を短縮でき、これに伴って収納庫筐体５０における前後方向の長さも短縮されている。
【０１３４】
この結果、収納庫１８が取り付けられた下部ユニット２８及び当該下部ユニット２８を収納する紙幣入出金機筐体１１においても、その前後長が、従来の収納庫３１８を用いた場合よりも短縮されている。
【０１３５】
［１−５．動作及び効果］
以上の構成において、第１の実施の形態による現金自動預払機１の紙幣入出金機１０は、後搬送部１９の前方且つ収納庫１８の後方となる箇所にリジェクト庫２０を配置した（図２）。
【０１３６】
すなわちリジェクト庫２０は、通常の運用時のように下部ユニット２８が紙幣入出金機筐体１１の内部に収納された状態では、前方に４個の収納庫１８が並び、後方に後搬送部１９及び装填庫２５が並ぶようにした。
【０１３７】
このため紙幣入出金機１０は、筐体２の後扉が開放されたとしても、一時保留部１６、分離部２６、装填庫２５及び取込部２４を後面に露出させるものの、リジェクト庫２０を内部に隠匿した状態を維持することができる。
【０１３８】
また紙幣入出金機１０は、紙幣入出金機筐体１１から装填庫２５が一時的に取り外されたとしても、後搬送部１９によりリジェクト庫２０の後側を遮蔽することができる。
【０１３９】
これにより紙幣入出金機１０は、筐体２の後扉の開放や装填庫２５の取り外しがなされたとしても、リジェクト庫２０に対する外部からのアクセスを遮断することができ、当該リジェクト庫２０内に収納されているリジェクト紙幣ＢＬＲを確実に保護することができる。
【０１４０】
ところで従来の紙幣入出金機３１０（図２４）では、分離部２６、装填庫２５及び取込部２４に加えて２個のリジェクト庫３２０も最後部に配置していた。一方、現金自動預払機３０１の高さやこれに収納する紙幣入出金機３１０の高さは、事実上標準化されており、また人間工学的な観点による入出金部１３の高さの制約からも、むやみに拡大することができない。
【０１４１】
紙幣入出金機３１０では、最後部に配置された各部分のうち、最も使用頻度が高く大容量化の必要性が高い部分が装填庫２５となっている。このため紙幣入出金機３１０では、装填庫２５の高さを大きく設定して収納容量を最大限に高めており、その結果として、リジェクト庫３２０の高さが抑えられ収納容量が抑えられていた。
【０１４２】
これに対し本発明の紙幣入出金機１０（図２）では、紙幣入出金機１０の内部において収納庫１８と同等の高さに２個のリジェクト庫２０を縦に並べるよう、すなわちリジェクト庫２０を当該収納庫１８の約半分の高さとなるよう構成した。
【０１４３】
これにより、リジェクト庫２０の収納容量を従来よりも格段に増加させることができ、当該リジェクト庫２０内が紙幣ＢＬ（リジェクト紙幣ＢＬＲ）で満たされるまでの期間を延長できるので、当該リジェクト庫２０から紙幣ＢＬを取り出す頻度を低減できる。
【０１４４】
すなわち紙幣入出金機１０では、リジェクト庫２０を最後部ではなく内部に配置したため、そのセキュリティ性を高めた反面、１回の紙幣ＢＬの取出作業が煩雑化するものの、同時にその頻度を大幅に低減することにより、全体的に取出作業に要する手間を低減させることができる。
【０１４５】
また紙幣入出金機１０は、リジェクト庫２０Ａ及び２０Ｂを上下方向に並べて配置しており、且つ判別部１５がその上方に位置するために、特に下側のリジェクト庫２０Ｂに対し、紙幣ＢＬ（リジェクト紙幣ＢＬＲ）を上方から下方向へ向けて搬送する必要がある。
【０１４６】
この点において紙幣入出金機１０は、取込部２４へ紙幣ＢＬを搬送する後搬送部１９の直前にリジェクト庫２０を配置したことにより、リジェクト庫２０及び取込部２４の双方で当該後搬送部１９を共用でき、従来の紙幣入出金機３１０（図２４）と比較しても、実質的に構成を複雑化せずに済む。
【０１４７】
また紙幣入出金機１０では、収納庫１８に紙幣ＢＬを振り分ける振分搬送部１７とリジェクト庫２０に紙幣ＢＬを搬送する後搬送部１９との間で紙幣ＢＬを受け渡すようにした。これと共に紙幣入出金機１０では、振分搬送部１７と判別部１５との間を第１判別経路Ｒ１により接続した。
【０１４８】
このため紙幣入出金機１０では、入金取引等において、判別部１５における紙幣ＢＬの判別結果にかかわらず、当該紙幣ＢＬを判別部１５の前入出口１５Ａから第１判別経路Ｒ１経由で振分搬送部１７へ搬送すれば良く、紙幣ＢＬの搬送経路、すなわち搬送部１４の構成を複雑化せずに済む。
【０１４９】
これを換言すれば、紙幣入出金機１０は、従来の紙幣入出金機３１０と比較して、リジェクト庫２０を最後部から中央寄りの箇所へ移動させたにも関わらず、第１判別経路Ｒ１及び振分搬送部１７をそのまま利用することができる。
【０１５０】
さらに紙幣入出金機１０では、判別部１５の後入出口１５Ｂと後搬送部１９との間を第２判別経路Ｒ２により結び、紙幣ＢＬを判別部１５から振分搬送部１７を経由しなくともリジェクト庫２０へ搬送できるようにした。
【０１５１】
これにより紙幣入出金機１０では、出金取引等において紙幣ＢＬを収納庫１８から繰り出させ、振分搬送部１７を前方向に進行させ第１判別経路Ｒ１を介して判別部１５の前入出口１５Ａまで搬送させた後、リジェクト紙幣ＢＬＲを当該判別部１５の後入出口１５Ｂから第２判別経路Ｒ２及び後搬送部１９経由でリジェクト庫２０へ搬送させることができる。
【０１５２】
これを他の観点から見ると、紙幣入出金機１０では、何れかの搬送元から判別部１５を通過して何れかの搬送先へ紙幣ＢＬを搬送する搬送経路を、当該判別部１５内における紙幣ＢＬの搬送方向から、大きく２通りに類型化することができる。
【０１５３】
すなわち第１の類型は、一時保留部１６又は装填庫２５から判別部１５を介して収納庫１８へ収納させる場合であり、主に収納庫１８に紙幣ＢＬを収納する場合である。
【０１５４】
この第１の類型において、搬送される紙幣ＢＬは、搬送元から判別部１５の後入出口１５Ｂまでは、第２判別経路Ｒ２の一部を通り、判別部１５の前入出口１５Ａから収納庫１８又はリジェクト庫２０までは、第１判別経路Ｒ１及び振分搬送部１７を通るため、搬送経路の重複や交差が生じない。
【０１５５】
また第２の類型は、収納庫１８から判別部１５を介して入出金部１３又は装填庫２５へ搬送する場合であり、主に収納庫１８から紙幣ＢＬを繰り出す場合である。
【０１５６】
この第２の類型において、搬送される紙幣ＢＬは、搬送元から判別部１５の前入出口１５Ａまでは、第１判別経路Ｒ１及び振分搬送部１７を通り、判別部１５の後入出口１５Ｂから入出金部１３、装填庫２５又はリジェクト庫２０までは、第２判別経路Ｒ２の一部又は全部を通るため、やはり搬送経路の重複や交差が生じない。
【０１５７】
すなわち紙幣入出金機１０では、搬送元から判別部１５を介して搬送先又はリジェクト庫２０へ紙幣ＢＬを搬送するときの、搬送元から判別部１５までの搬送経路と、判別部１５から搬送先又はリジェクト庫２０までの搬送経路とを重複又は交差させることなく完全に切り分けた。
【０１５８】
これにより紙幣入出金機１０では、正常紙幣ＢＬＣ及びリジェクト紙幣ＢＬＲのいずれについても無理なく円滑に搬送することができ、搬送に伴う紙幣ＢＬの詰まりや損傷の発生頻度を大幅に低減させることができる。
【０１５９】
また紙幣入出金機１０は、従来の紙幣入出金機３１０（図２４）において最後部に従来のリジェクト庫３２０を配置していたのに対し、収納庫１８と後搬送部１９との間にリジェクト庫２０を配置するため、そのぶん前後方向の長さが延長されることになる。
【０１６０】
しかしながら紙幣入出金機１０は、リジェクト庫２０の上部ガイド３２を傾斜させて前後長を従来よりも短縮させ（図１５）、収納庫１８にリブ６８を設けて前後長を従来よりも短縮したため（図１７）、装置全体における前後方向の延長幅を最小限に抑えることができる。
【０１６１】
以上の構成によれば、第１の実施の形態による現金自動預払機１の紙幣入出金機１０は、後搬送部１９の前方且つ収納庫１８の後方となる箇所にリジェクト庫２０を配置したことにより、筐体２の後扉が開放されたとしても、一時保留部１６、分離部２６、装填庫２５及び取込部２４よりも内部にリジェクト庫２０を隠匿でき、装填庫２５が取り外された場合にも後搬送部１９によりリジェクト庫２０の後側を遮蔽できる。これにより紙幣入出金機１０は、リジェクト庫２０に対する外部からのアクセスを遮断することができ、当該リジェクト庫２０内に収納されている紙幣ＢＬを確実に保護することができる。
【０１６２】
［２．第２の実施の形態］
第２の実施の形態による現金自動預払機１０１は、第１の実施の形態による現金自動預払機１と比較して、紙幣入出金機１０に代わる紙幣入出金機１１０を有する点が相違するものの、他の部分については同様に構成されている。
【０１６３】
［２−１．紙幣入出金機の構成］
紙幣入出金機１１０は、図４（Ａ）と対応する図２１（Ａ）に示すように、紙幣入出金機１０と比較して、紙幣入出金機筐体１１と対応する紙幣入出金機筐体１１１の最後部において、取込部２４、装填庫２５及び分離部２６が後部ユニット１２９に取り付けられている点が相違するものの、他の部分については同様に構成されている。
【０１６４】
紙幣入出金機１１０では、下部ユニット２８及び後部ユニット１２９のそれぞれが、図示しないスライド機構を介して紙幣入出金機筐体１１１に取り付けられている。
【０１６５】
かかる構成により紙幣入出金機１１０は、図４（Ｂ）に示したように、第１の実施の形態と同様に下部ユニット２８を紙幣入出金機筐体１１１の前方へ引き出すことができ、さらに図２１（Ｂ）に示すように、下部ユニット２８及び後部ユニット１２９を一体として紙幣入出金機筐体１１１の後方へ引き出すこともできる。
【０１６６】
ここでリジェクト庫２０は、下部ユニット２８が紙幣入出金機筐体１１１の前方又は後方のいずれへ引き出されたときにも、図５に示したように、当該下部ユニット２８の左方向へ引き抜かれることにより取り外され、又は右方向へ挿入されることにより装着されるようになされている。
【０１６７】
このように紙幣入出金機１１０は、下部ユニット２８を前方へ引き出し、又は当該下部ユニット２８を後部ユニット１２９と共に後方へ引き出すことにより、当該下部ユニット２８からリジェクト庫２０を取り外し得るようになされている。
【０１６８】
［２−２．動作及び効果］
以上の構成において、第２の実施の形態による現金自動預払機１０１の紙幣入出金機１１０は、第１の実施の形態と同様、後搬送部１９の前方且つ収納庫１８の後方となる箇所にリジェクト庫２０を配置した。
【０１６９】
このため紙幣入出金機１１０は、第１の実施の形態と同様、筐体２の後扉の開放や装填庫２５の取り外しがなされたとしても、リジェクト庫２０に対する外部からのアクセスを遮断することができ、当該リジェクト庫２０内に収納されているリジェクト紙幣ＢＬＲを確実に保護することができる。
【０１７０】
また紙幣入出金機１１０は、筐体２の前後の扉が開放されたときに、リジェクト庫２０を有する下部ユニット２８を、前方へ引き出し、又は後部ユニット１２９と共に後方へ引き出し得るようにした。
【０１７１】
これにより紙幣入出金機１１０は、リジェクト庫２０内に収納されている紙幣ＢＬを取り出す際、下部ユニット２８を前方及び後方のいずれに引き出しても良く、その作業性を高めることができる。
【０１７２】
また紙幣入出金機１１０は、例えば前方に十分な作業空間を確保できないような箇所であっても、下部ユニット２８を後方へ引き出せば良いため、現金自動預払機１０１の設置場所に関する制約を大幅に緩和することができる。
【０１７３】
他の観点から見れば、紙幣入出金機１１０は、設置場所の条件に応じて下部ユニット２８を前方へ引き出す方式と後方へ引き出す方式の２方式に作り分ける必要がないため、装置の共通化・単一化により設計や製造に係る費用の低廉化を図ることができる。
【０１７４】
さらに紙幣入出金機１１０は、その他の点についても第１の実施の形態と同様の作用効果を奏し得る。
【０１７５】
以上の構成によれば、第２の実施の形態による現金自動預払機１０１の紙幣入出金機１１０は、後搬送部１９の前方且つ収納庫１８の後方となる箇所にリジェクト庫２０を配置したことにより、筐体２の後扉が開放されたとしても、一時保留部１６、分離部２６、装填庫２５及び取込部２４よりも内部にリジェクト庫２０を隠匿でき、装填庫２５が取り外された場合にも後搬送部１９によりリジェクト庫２０の後側を遮蔽できる。これにより紙幣入出金機１１０は、リジェクト庫２０に対する外部からのアクセスを遮断することができ、当該リジェクト庫２０内に収納されている紙幣ＢＬを確実に保護することができる。さらに紙幣入出金機１１０は、下部ユニット２８が前後いずれに引き出されたときにもリジェクト庫２０から紙幣ＢＬを取り出させることができ、作業性を格段に高めることができる。
【０１７６】
［３．第３の実施の形態］
第３の実施の形態による現金自動預払機２０１は、第１の実施の形態による現金自動預払機１と比較して、紙幣入出金機１０に代わる紙幣入出金機２１０を有する点が相違するものの、他の部分については同様に構成されている。
【０１７７】
［３−１．紙幣入出金機の構成］
紙幣入出金機２１０は、図２と対応する図２２に示すように、紙幣入出金機１０と比較して、紙幣入出金機筐体１１、搬送部１４、装填庫２５、分離部２６及び下部ユニット２８に代わる紙幣入出金機筐体２１１、搬送部２１４、装填庫２２５、分離部２２６及び下部ユニット２２８を有する点が相違するものの、他の部分については同様に構成されている。
【０１７８】
装填庫２２５は、装填庫２５（図２）よりも高さが抑えられており、その上端が振分搬送部１７の上端とほぼ同等に揃えられている。また装填庫２２５の内部には、分離部２６と同等の機能を有する分離部２２６が組み込まれている。
【０１７９】
因みに装填庫２２５及び分離部２２６は、収納庫１８（１８Ａ〜１８Ｄ）と共通の部品によって構成されている。
【０１８０】
下部ユニット２２８は、下部ユニット２８よりも後方へ延長されることにより、その前後町が紙幣入出金機筐体１１１とほぼ同等となっており、振分搬送部１７、収納庫１８、後搬送部１９及びリジェクト庫２０に加えて、装填庫２２５及び取込部２４も取り付けられている。
【０１８１】
また下部ユニット２２８は、図示しないスライド機構を介して紙幣入出金機筐体２１１に取り付けられており、図２３（Ａ）及び（Ｂ）に示すように、当該紙幣入出金機筐体２１１の前方及び後方のいずれへも引き出し得るようになされている。
【０１８２】
ここでリジェクト庫２０は、下部ユニット２２８が紙幣入出金機筐体１１１の前方又は後方のいずれへ引き出されたときにも、第１の実施の形態（図５）と同様、当該下部ユニット２２８の左方向へ引き抜かれることにより取り外され、又は右方向へ挿入されることにより装着されるようになされている。
【０１８３】
因みに搬送部２１４は、全体的に搬送部１４と同様に構成されているものの、分離部２６に代わる分離部２２６が装填庫２２５内に組み込まれ、その位置が低められたことに対応して、その搬送経路が一部相違している。
【０１８４】
このように紙幣入出金機２１０は、下部ユニット２２８を前方又は後方へ引き出すことにより、当該下部ユニット２２８からリジェクト庫２０を取り外し得るようになされている。
【０１８５】
［３−２．動作及び効果］
以上の構成において、第３の実施の形態による現金自動預払機２０１の紙幣入出金機２１０は、第１の実施の形態と同様、後搬送部１９の前方且つ収納庫１８の後方となる箇所にリジェクト庫２０を配置した。
【０１８６】
このため紙幣入出金機２１０は、第１の実施の形態と同様、筐体２の後扉の開放や装填庫２５の取り外しがなされたとしても、リジェクト庫２０に対する外部からのアクセスを遮断することができ、当該リジェクト庫２０内に収納されているリジェクト紙幣ＢＬＲを確実に保護することができる。
【０１８７】
また紙幣入出金機２１０は、筐体２の前後の扉が開放されたときに、リジェクト庫２０を有する下部ユニット２２８を、前方又は後方へ引き出すようにした。
【０１８８】
これにより紙幣入出金機２１０は、リジェクト庫２０内に収納されている紙幣ＢＬを取り出す際、第２の実施の形態と同様に、下部ユニット２２８を前方及び後方のいずれに引き出しても良く、その作業性を高めることができる。
【０１８９】
さらに紙幣入出金機２１０は、装填庫２２５及び分離部２２６を収納庫１８（１８Ａ〜１８Ｄ）と共通の部品によって構成したことにより、異なる構成とする場合よりも製造コストを削減することができる。
【０１９０】
また紙幣入出金機２１０は、その他の点についても第１及び第２の実施の形態と同様の作用効果を奏し得る。
【０１９１】
以上の構成によれば、第３の実施の形態による現金自動預払機２０１の紙幣入出金機２１０は、後搬送部１９の前方且つ収納庫１８の後方となる箇所にリジェクト庫２０を配置したことにより、筐体２の後扉が開放されたとしても、一時保留部１６、分離部２６、装填庫２５及び取込部２４よりも内部にリジェクト庫２０を隠匿でき、装填庫２５が取り外された場合にも後搬送部１９によりリジェクト庫２０の後側を遮蔽できる。これにより紙幣入出金機２１０は、リジェクト庫２０に対する外部からのアクセスを遮断することができ、当該リジェクト庫２０内に収納されている紙幣ＢＬを確実に保護することができる。さらに紙幣入出金機２１０は、下部ユニット２２８が前後いずれに引き出されたときにもリジェクト庫２０から紙幣ＢＬを取り出させることができ、作業性を格段に高めることができる。
【０１９２】
［４．他の実施の形態］
なお上述した第１の実施の形態においては、紙幣入出金機筐体１１における最後部の最下段に、顧客が入出金部１３から取り忘れた紙幣ＢＬを取り込んで保管する取込部２４を設け、後搬送部１９により当該取込部２４へ紙幣ＢＬを搬送するようにした場合について述べた。
【０１９３】
しかしながら本発明はこれに限らず、紙幣入出金機筐体１１における最後部の最下段に、他の紙幣ＢＬと区別して保管すべき種々の紙幣ＢＬを収納する区別収納庫を設け、後搬送部１９により当該区別収納庫へ紙幣ＢＬを搬送するようにしても良い。第２及び第３の実施の形態についても同様である。
【０１９４】
また上述した第１の実施の形態においては、紙幣入出金機筐体１１における最後部の最下段に取込部２４を設け、後搬送部１９により当該取込部２４及びリジェクト庫２０へそれぞれ紙幣ＢＬを搬送するようにした場合について述べた。
【０１９５】
しかしながら本発明はこれに限らず、例えば取込部２４を他の箇所に設け、後搬送部１９によりリジェクト庫２０のみへ紙幣ＢＬを搬送するようにしても良い。この場合、後搬送部１９をリジェクト庫２０の前方に設けても良い。さらには、リジェクト庫２０Ａ及び２０Ｂを１個のリジェクト庫２０に統合すると共に、紙幣ＢＬを上方から取り込むようにして、後搬送部１９を省略するようにしても良い。第２及び第３の実施の形態についても同様である。
【０１９６】
さらに上述した第１の実施の形態においては、振分搬送部１７の後端を後搬送部１９と接続することにより、リジェクト紙幣ＢＬＲを当該振分搬送部１７から当該後搬送部１９へ搬送するようにした場合について述べた。
【０１９７】
しかしながら本発明はこれに限らず、搬送部１４において振分搬送部１７の後端を後搬送部１９と接続せず、例えば判別部１５の前入出口１５Ａから後搬送部１９へ至る他の搬送経路を形成し、この搬送経路を介してリジェクト紙幣ＢＬＲを後搬送部１９へ搬送するようにしても良い。第２及び第３の実施の形態についても同様である。
【０１９８】
さらに上述した第１の実施の形態においては、紙幣入出金機筐体１１に対し装填庫２５を着脱可能に構成するようにした場合について述べた。
【０１９９】
しかしながら本発明はこれに限らず、紙幣入出金機筐体１１に対し装填庫２５を固定するようにしても良い。第２及び第３の実施の形態についても同様である。
【０２００】
さらに上述した第１の実施の形態においては、リジェクト庫２０として、互いに同等の構成でなる２個のリジェクト庫２０Ａ及び２０Ｂを上下に並べて配置し、確定処理後に取り込まれた紙幣ＢＬを区別して保管するようにした場合について述べた。
【０２０１】
しかしながら本発明はこれに限らず、リジェクト庫２０として、１個又は３個以上のリジェクト庫を設け、紙幣ＢＬの種類や用途等により区別して保管するようにしても良い。この場合、各リジェクト庫の配置としては、上下に並べても良く、また前後方向に２列以上に渡って並べるようにしても良く、或いは複数箇所に分散して配置するようにしても良い。第２及び第３の実施の形態についても同様である。
【０２０２】
さらに上述した第１の実施の形態においては、第２判別経路Ｒ２により判別部１５の後入出口１５Ｂと後搬送部１９との間を結ぶようにした場合について述べた。
【０２０３】
しかしながら本発明はこれに限らず、例えば判別部１５の後入出口１５Ｂから分離部２６までを結ぶ一方、分離部２６と後搬送部１９との間を切り離しても良い。この場合、収納庫１８から繰り出した紙幣ＢＬがリジェクト紙幣ＢＬＲであれば、例えば当該リジェクト紙幣ＢＬＲを一時保留部１６に一度収納させ、後から当該一時保留部１６から判別部１５、第１判別経路Ｒ１、振分搬送部１７及び後搬送部１９を介してリジェクト庫２０に収納させれば良い。第２及び第３の実施の形態についても同様である。
【０２０４】
さらに上述した第１の実施の形態においては、紙幣入出金機筐体１１に対し下部ユニット２８を前方へ引き出し、当該下部ユニット２８に対しリジェクト庫２０を左方向へ引き出すようにした場合について述べた。
【０２０５】
しかしながら本発明はこれに限らず、現金自動預払機１の設置箇所における制約等に応じて、紙幣入出金機筐体１１に対し種々の方向へ下部ユニット２８を引き出すようにしても良い。また下部ユニット２８に対し、リジェクト庫２０を種々の方向へ引き出すようにしても良く、或いはリジェクト庫２０を下部ユニットに固定し取り外せないようにしても良い。第２及び第３の実施の形態についても同様である。
【０２０６】
さらに上述した第１の実施の形態においては、リジェクト庫２０の上部ガイド３２を傾斜させることにより、その前後長を短縮させるようにした場合について述べた。
【０２０７】
しかしながら本発明はこれに限らず、従来のリジェクト庫３２０と同様、リジェクト庫２０の上部ガイド３２をほぼ水平とし、前後長を従来と同等とするようにしても良い。第２及び第３の実施の形態についても同様である。
【０２０８】
さらに上述した第１の実施の形態については、収納庫１８にリブ６８を形成することにより、その前後長を従来よりも短縮するようにした場合について述べた。
【０２０９】
しかしながら本発明はこれに限らず、収納庫１８にリブ６８を設けることなく、従来の収納庫３１８と同様に構成して前後長を短縮しないようにしても良い。
【０２１０】
さらに上述した第１の実施の形態においては、収納庫１８内及びリジェクト庫２０内において、それぞれ紙幣ＢＬを水平に寝かせて上下方向に積層して収納するようにした場合について述べた。
【０２１１】
しかしながら本発明はこれに限らず、例えば収納庫１８内及びリジェクト庫２０内において、紙幣ＢＬを垂直又は斜めに立たせて前後方向に積層して集積するようにしても良い。第２及び第３の実施の形態についても同様である。
【０２１２】
さらに上述した第１の実施の形態においては、収納庫１８として４個の収納庫１８Ａ〜１８Ｄを設けるようにした場合について述べた。
【０２１３】
しかしながら本発明はこれに限らず、３個以下又は５個以上の収納庫を設けるようにしても良い。第２及び第３の実施の形態についても同様である。
【０２１４】
さらに上述した第１の実施の形態においては、紙幣の入金処理や出金処理等を行う紙幣入出金機１０において、取引処理において利用すべきでない媒体としてのリジェクト紙幣ＢＬＲをリジェクト庫２０に搬送して収納するようにした場合について述べた。
【０２１５】
しかしながら本発明はこれに限らず、例えば債権、証書、商品券、金券や入場券等のような種々の紙葉状の媒体に関する取引を行う種々の装置において、取引において利用できない媒体を判別し、これをリジェクト庫に搬送して収納させるようにしても良い。第２及び第３の実施の形態についても同様である。
【０２１６】
さらに上述した実施の形態においては、筐体としての紙幣入出金機筐体１１と、判別部としての判別部１５と、収納庫としての収納庫１８と、装填庫としての装填庫２５と、リジェクト庫としてのリジェクト庫２０とによって媒体取引装置としての紙幣入出金機１０を構成する場合について述べた。
【０２１７】
しかしながら本発明はこれに限らず、その他種々の構成でなる筐体と、判別部と、収納庫と、装填庫と、リジェクト庫とによって媒体取引装置を構成するようにしても良い。
【産業上の利用可能性】
【０２１８】
本発明は、種々の媒体を判別し、利用可能な媒体と利用不可能な媒体とに区別して保管する種々の装置でも利用できる。
【符号の説明】
【０２１９】
１、１０１、２０１……現金自動預払機、１０、１１０、２１０……紙幣入出金機、１１、１１１、２１１……紙幣入出金機筐体、１２……紙幣制御部、１３……入出金部、１４、２１４……搬送部、１５……判別部、１５Ａ……前入出口、１５Ｂ……後入出口、１７……振分搬送部、１８……収納庫、１９……後搬送部、２０、２０Ａ、２０Ｂ……リジェクト庫、２４……取込部、２５、２２５……装填庫、２６、２２６……分離部、２８、２２８……下部ユニット、１２９……後部ユニット、Ｒ１……第１判別経路、Ｒ２……第２判別経路、ＢＬ……紙幣、ＢＬＣ……正常紙幣、ＢＬＲ……リジェクト紙幣。
【図１】
0005500190.tif 000002
【図２】
0005500190.tif 000003
【図３】
0005500190.tif 000004
【図４】
0005500190.tif 000005
【図５】
0005500190.tif 000006
【図６】
0005500190.tif 000007
【図７】
0005500190.tif 000008
【図８】
0005500190.tif 000009
【図９】
0005500190.tif 000010
【図１０】
0005500190.tif 000011
【図１１】
0005500190.tif 000012
【図１２】
0005500190.tif 000013
【図１３】
0005500190.tif 000014
【図１４】
0005500190.tif 000015
【図１５】
0005500190.tif 000016
【図１６】
0005500190.tif 000017
【図１７】
0005500190.tif 000018
【図１８】
0005500190.tif 000019
【図１９】
0005500190.tif 000020
【図２０】
0005500190.tif 000021
【図２１】
0005500190.tif 000022
【図２２】
0005500190.tif 000023
【図２３】
0005500190.tif 000024
【図２４】
0005500190.tif 000025